(57)【特許請求の範囲】
【請求項１】
屋根板材の端部を互いに向かい合わせて略直角に折り曲げて垂直壁をそれぞれ形成し、
該垂直壁を前記屋根板材の中央側に向けて鋭角に折り返して第１の折り返し壁を連続形成すると共に、該第１の折り返し壁の端部を前記屋根板材の端部側に鋭角に折り返して第２の折り返し壁を連続形成してフック部を形成し、
前記屋根板材の端部同士を互いに向かい合わせて下地材に固定して目地を形成し、
前記屋根板材の前記垂直壁と前記第１の折り返し壁との間に、上部に開口し且つ前記第１の折り返し壁に沿う折曲片を両側にそれぞれ有する固定アンカーを配置して前記下地材に固定手段により固定し、
前記フック部にそれぞれ係合可能な括れ部を有する略逆Ｕ字状の目地カバー材を係止させた屋根シール構造において、
前記目地を形成する前記第２の折り返し壁と前記目地カバー材の頂面との間に定形シール材が挟み込まれて固定されているとともに、
前記定形シール材は、その本体部が略四角形状の気泡発泡体とされ、前記本体部の下側の長辺部に粘着材が予め貼り付けられており、該粘着材側は、向かい合わせた前記第２の折り返し壁に貼り付けられ、前記本体部の上側の長辺部が前記目地カバー材内側の頂面に弾接されていることを特徴とする屋根シール構造。
【請求項２】
屋根板材の端部を互いに向かい合わせて略直角に折り曲げて垂直壁をそれぞれ形成し、
該垂直壁を前記屋根板材の中央側に向けて鋭角に折り返して第１の折り返し壁を連続形成すると共に、該第１の折り返し壁の端部を前記屋根板材の端部側に鋭角に折り返して第２の折り返し壁を連続形成してフック部を形成し、
前記屋根板材の端部同士を互いに向かい合わせて下地材に固定して目地を形成し、
前記屋根板材の前記垂直壁と前記第１の折り返し壁との間に、上部に開口し且つ前記第１の折り返し壁に沿う折曲片を両側にそれぞれ有する固定アンカーを配置して前記下地材に固定手段により固定し、
前記フック部にそれぞれ係合可能な括れ部を有する略逆Ｕ字状の目地カバー材を係止させた屋根シール構造において、
前記目地を形成する前記第２の折り返し壁と前記目地カバー材の頂面との間に定形シール材が挟み込まれて固定されているとともに、
前記定形シール材の本体部に大型中空部上側壁と大型中空部下側壁とが設けられ、前記大型中空部上側壁と前記大型中空部下側壁との間に大型中空部が形成されており、前記大型中空部上側壁を前記目地カバー材内側の頂面部に弾接させ、前記大型中空部下側壁の左右両側下面に粘着材が予め取り付けられており、該粘着材が前記第２の折り返し壁に貼り付けられていることを特徴とする屋根シール構造。
【請求項３】
屋根板材の端部を互いに向かい合わせて略直角に折り曲げて垂直壁をそれぞれ形成し、
該垂直壁を前記屋根板材の中央側に向けて鋭角に折り返して第１の折り返し壁を連続形成すると共に、該第１の折り返し壁の端部を前記屋根板材の端部側に鋭角に折り返して第２の折り返し壁を連続形成してフック部を形成し、
前記屋根板材の端部同士を互いに向かい合わせて下地材に固定して目地を形成し、
前記屋根板材の前記垂直壁と前記第１の折り返し壁との間に、上部に開口し且つ前記第１の折り返し壁に沿う折曲片を両側にそれぞれ有する固定アンカーを配置して前記下地材に固定手段により固定し、
前記フック部にそれぞれ係合可能な括れ部を有する略逆Ｕ字状の目地カバー材を係止させた屋根シール構造において、
前記目地を形成する前記第２の折り返し壁と前記目地カバー材の頂面との間に定形シール材が挟み込まれて固定されているとともに、
前記定形シール材が、前記対向する屋根板材の前記第２の折り返し壁間に下部側が嵌合可能であって略四角形状の本体部と、該本体部から延出している２本のリップ部とを有し、
前記本体部と前記２本のリップ部との間に小型中空部壁又は柔軟部材により形成された緩衝部を設け、該緩衝部に前記第２の折り返し壁の先端が弾接されていることを特徴とする屋根シール構造。
【請求項４】
前記２本のリップ部の先端にシート状部をそれぞれ延設し、前記目地カバー材と前記フック部との間に挟み込み固定し、さらに前記目地カバー材の前記括れ部と前記垂直壁との間に挟み込み固定したことを特徴とする請求項３に記載の屋根シール構造。
【発明の詳細な説明】
【技術分野】
【０００１】
本発明は、建物の屋根板材の目地を防水する屋根シール構造に関する。
【背景技術】
【０００２】
従来の屋根シール構造の一例を図７に示す。同図において、互いに向かい合わされた屋根材１，１の端部に起立片２をそれぞれ設け、この起立片２の間に吊子３の起立片４を介在させて当接している。起立片４の上部には固定蓋片５が折り返されて起立片４の上部にそれぞれ係止されている。
【０００３】
起立片２は、略Ｍ字状のシール６により覆われ、その外側はカバーキャップ８により覆われている。このカバーキャップ８は、起立片４側の接触部１１とカバーキャップ８側の接触部１２とにおいてそれぞれ支持されている。シール６に一体形成された複数の水止片７は起立片２及びカバーキャップ８にそれぞれ当接して、開口部１３における止水をしている（例えば、特許文献１参照）。
【特許文献１】特許第３４２２９８３号
【発明の開示】
【発明が解決しようとする課題】
【０００４】
上述した屋根シール構造においては、シール６及びカバーキャップ８の支持部が上部側の起立片４側の接触部１１及びカバーキャップ８側の接触部１２であるために起立片２に対する保持状態が不安定であり、起立片２に当接する水止片７が経年劣化するとさらに不安定になる問題がある。また、屋根材１，１の起立片２，２にシール６及びカバーキャップ８を覆い被せる構造では、屋根材１，１の連結部を止水するシール６及びカバーキャップ８の組み付けバラツキを吸収するのが困難であった。
【０００５】
本発明は、組み付けが容易であって屋根シールを確実に行う屋根シール構造を提供することを目的とするものである。
【課題を解決するための手段】
【０００６】
本発明は、上述事情に鑑みなされたものであって、請求項１に記載の発明は、屋根板材の端部を互いに向かい合わせて略直角に折り曲げて垂直壁をそれぞれ形成し、該垂直壁を前記屋根板材の中央側に向けて鋭角に折り返して第１の折り返し壁を連続形成すると共に、該第１の折り返し壁の端部を前記屋根板材の端部側に鋭角に折り返して第２の折り返し壁を連続形成してフック部を形成し、前記屋根板材の端部同士を互いに向かい合わせて下地材に固定して目地を形成し、前記屋根板材の前記垂直壁と前記第１の折り返し壁との間に、上部に開口し且つ前記第１の折り返し壁に沿う折曲片を両側にそれぞれ有する固定アンカーを配置して前記下地材に固定手段により固定し、前記フック部にそれぞれ係合可能な括れ部を有する略逆Ｕ字状の目地カバー材を係止させた屋根シール構造において、前記目地を形成する前記第２の折り返し壁と前記目地カバー材の頂面との間に定形シール材が挟み込まれて固定されているとともに、前記定形シール材は、その本体部が略四角形状の気泡発泡体とされ、前記本体部の下側の長辺部に粘着材が予め貼り付けられており、該粘着材側は、向かい合わせた前記第２の折り返し壁に貼り付けられ、前記本体部の上側の長辺部が前記目地カバー材内側の頂面に弾接されていることを特徴としている。
【０００７】
このように構成された請求項１に記載の発明では、屋根板材の目地部に配設された固定アンカーと目地カバー材との間に定形シール材を配設したので、固定アンカーの固定部及び固定アンカーと屋根板材の端部との間の止水を確実に行うことができる。そして、フック部に目地カバー材の括れ部を嵌め込むだけでシール作業が完了するので、屋根シールの作業性が容易で熟練度を必要としない。また、天候に左右されることなく作業できて作業時間も短縮できると共に、屋根シール部のメンテナンス・補修も容易に行うことができる。
さらに、目地カバー材の装着により定形シール材の気泡発泡体の上面が目地カバー材の頂面部により押圧され、粘着材が第２の折り返し壁に付着するので、固定アンカー内への雨水の浸入を確実に防止することができる。
【０００８】
また、請求項２に記載の発明は、屋根板材の端部を互いに向かい合わせて略直角に折り曲げて垂直壁をそれぞれ形成し、該垂直壁を前記屋根板材の中央側に向けて鋭角に折り返して第１の折り返し壁を連続形成すると共に、該第１の折り返し壁の端部を前記屋根板材の端部側に鋭角に折り返して第２の折り返し壁を連続形成してフック部を形成し、前記屋根板材の端部同士を互いに向かい合わせて下地材に固定して目地を形成し、前記屋根板材の前記垂直壁と前記第１の折り返し壁との間に、上部に開口し且つ前記第１の折り返し壁に沿う折曲片を両側にそれぞれ有する固定アンカーを配置して前記下地材に固定手段により固定し、前記フック部にそれぞれ係合可能な括れ部を有する略逆Ｕ字状の目地カバー材を係止させた屋根シール構造において、前記目地を形成する前記第２の折り返し壁と前記目地カバー材の頂面との間に定形シール材が挟み込まれて固定されているとともに、前記定形シール材の本体部に大型中空部上側壁と大型中空部下側壁とが設けられ、前記大型中空部上側壁と前記大型中空部下側壁との間に大型中空部が形成されており、前記大型中空部上側壁を前記目地カバー材内側の頂面部に弾接させ、前記大型中空部下側壁の左右両側下面に粘着材が予め取り付けられており、該粘着材が前記第２の折り返し壁に貼り付けられていることを特徴としている。
【０００９】
このように構成された請求項２に記載の発明では、屋根板材の目地部に配設された固定アンカーと目地カバー材との間に定形シール材を配設したので、固定アンカーの固定部及び固定アンカーと屋根板材の端部との間の止水を確実に行うことができる。そして、フック部に目地カバー材の括れ部を嵌め込むだけでシール作業が完了するので、屋根シールの作業性が容易で熟練度を必要としない。また、天候に左右されることなく作業できて作業時間も短縮できると共に、屋根シール部のメンテナンス・補修も容易に行うことができる。
さらに、定形シール材の粘着材は第２の折り返し壁に粘着すると共に、大型中空部上側壁である円弧状薄板の弾性変形により粘着側は第２の折り返し壁に圧接されているので、固定アンカー内への雨水の浸入等を確実に防止することができる。
【００１０】
また、請求項３に記載の発明は、屋根板材の端部を互いに向かい合わせて略直角に折り曲げて垂直壁をそれぞれ形成し、該垂直壁を前記屋根板材の中央側に向けて鋭角に折り返して第１の折り返し壁を連続形成すると共に、該第１の折り返し壁の端部を前記屋根板材の端部側に鋭角に折り返して第２の折り返し壁を連続形成してフック部を形成し、前記屋根板材の端部同士を互いに向かい合わせて下地材に固定して目地を形成し、前記屋根板材の前記垂直壁と前記第１の折り返し壁との間に、上部に開口し且つ前記第１の折り返し壁に沿う折曲片を両側にそれぞれ有する固定アンカーを配置して前記下地材に固定手段により固定し、前記フック部にそれぞれ係合可能な括れ部を有する略逆Ｕ字状の目地カバー材を係止させた屋根シール構造において、前記目地を形成する前記第２の折り返し壁と前記目地カバー材の頂面との間に定形シール材が挟み込まれて固定されているとともに、前記定形シール材が、前記対向する屋根板材の前記第２の折り返し壁間に下部側が嵌合可能であって略四角形状の本体部と、該本体部から延出している２本のリップ部とを有し、前記本体部と前記２本のリップ部との間に小型中空部壁又は柔軟部材により形成された緩衝部を設け、該緩衝部に前記第２の折り返し壁の先端が弾接されていることを特徴としている。
【００１１】
このように構成された請求項３に記載の発明では、屋根板材の目地部に配設された固定アンカーと目地カバー材との間に定形シール材を配設したので、固定アンカーの固定部及び固定アンカーと屋根板材の端部との間の止水を確実に行うことができる。そして、フック部に目地カバー材の括れ部を嵌め込むだけでシール作業が完了するので、屋根シールの作業性が容易で熟練度を必要としない。また、天候に左右されることなく作業できて作業時間も短縮できると共に、屋根シール部のメンテナンス・補修も容易に行うことができる。
さらに、定形シール材が第２の折り返し壁間に嵌合可能であるように略四角形状の本体部と２本のリップ部を有しているので、屋根板材に定形シール材が固定可能で、固定アンカーと屋根板材の端部との間の止水を確実に行うことができる。
そのうえ、上記のように定形シール材に緩衝部としての小型中空部壁又は柔軟部材を設けたので、目地カバー材の括れ部は屋根板材のフック部に適度の圧力により圧接されて、目地カバー材の固定状態をより確実にすることができる。
【００１２】
また、請求項４に記載の発明は、請求項３に記載の発明において、前記２本のリップ部の先端にシート状部をそれぞれ延設し、前記目地カバー材と前記フック部との間に挟み込み固定し、さらに前記目地カバー材の前記括れ部と前記垂直壁との間に挟み込み固定したことを特徴としている。
【００１３】
この構成によれば、シート状部を一次シールとし、定形シール材の小型中空部壁又は柔軟部材を二次シールとすることで、雨水の浸入を二重に防止する機能を有することができる。
【発明の効果】
【００１４】
また、請求項１に記載の発明によれば、屋根板材の目地部に配設された固定アンカーと目地カバー材との間に定形シール材を配設したので、固定アンカーの固定部及び固定アンカーと屋根板材の端部との間の止水を確実に行うことができる。そして、フック部に目地カバー材の括れ部を嵌め込むだけでシール作業が完了するので、屋根シールの作業性が容易で熟練度を必要としない。また、天候に左右されることなく作業できて作業時間も短縮できると共に、屋根シール部のメンテナンス・補修も容易に行うことができる。
さらに、目地カバー材の装着により定形シール材の気泡発泡体の上面が目地カバー材の頂面部により押圧され、粘着材が第２の折り返し壁に付着するので、固定アンカー内への雨水の浸入を確実に防止することができる。
【００１５】
また、請求項２に記載の発明によれば、屋根板材の目地部に配設された固定アンカーと目地カバー材との間に定形シール材を配設したので、固定アンカーの固定部及び固定アンカーと屋根板材の端部との間の止水を確実に行うことができる。そして、フック部に目地カバー材の括れ部を嵌め込むだけでシール作業が完了するので、屋根シールの作業性が容易で熟練度を必要としない。また、天候に左右されることなく作業できて作業時間も短縮できると共に、屋根シール部のメンテナンス・補修も容易に行うことができる。
さらに、定形シール材の粘着材は第２の折り返し壁に粘着すると共に、大型中空部上側壁である円弧状薄板の弾性変形により粘着側は第２の折り返し壁に圧接されているので、固定アンカー内への雨水の浸入等を確実に防止することができる。
【００１６】
また、請求項３に記載の発明によれば、屋根板材の目地部に配設された固定アンカーと目地カバー材との間に定形シール材を配設したので、固定アンカーの固定部及び固定アンカーと屋根板材の端部との間の止水を確実に行うことができる。そして、フック部に目地カバー材の括れ部を嵌め込むだけでシール作業が完了するので、屋根シールの作業性が容易で熟練度を必要としない。また、天候に左右されることなく作業できて作業時間も短縮できると共に、屋根シール部のメンテナンス・補修も容易に行うことができる。
さらに、定形シール材が第２の折り返し壁間に嵌合可能であるように略四角形状の本体部と２本のリップ部を有しているので、屋根板材に定形シール材が固定可能で、固定アンカーと屋根板材の端部との間の止水を確実に行うことができる。
そのうえ、上記のように定形シール材に緩衝部としての小型中空部壁又は柔軟部材を設けたので、目地カバー材の括れ部は屋根板材のフック部に適度の圧力により圧接されて、目地カバー材の固定状態をより確実にすることができる。
【００１７】
また、請求項４に記載の発明によれば、シート状部を一次シールとし、定形シール材の小型中空部壁又は柔軟部材を二次シールとすることで、雨水の浸入を二重に防止する機能を有することができる。
【発明を実施するための最良の形態】
【００１８】
以下、本発明を実施するための最良の形態を図面に基づいて説明する。
〈参考例〉
【００１９】
図１（ｄ）において、２０は建物の上部に設けられている下地材を示している。この下地材２０には、２枚の屋根板材２１，２１の端部２２が互いに向かい合わせて配置されて目地２３を形成している。この上記屋根板材２１，２１の端部２２には、上方に向く垂直壁２４が形成されている。
【００２０】
上記垂直壁２４からは、屋根板材２１の中央側に鋭角に折り返された第１の折り返し壁２５とこの第１の折り返し壁２５から外側へさらに鋭角に折り返された第２の折り返し壁２６とが連続形成されており、上記第１及び第２の折り返し壁２５，２６によりフック部２７が形成されている。
【００２１】
図１（ｃ）は固定アンカー３０を示しており、この固定アンカー３０は上部に開口部３１を有すると共に両側に外向きの折曲片３２がそれぞれ形成されている。この固定アンカー３０の底板３０ａは、（ｄ）図に示す目地２３の位置に配置されてネジ（図１（ａ）参照）により下地材２０に固定されている。
【００２２】
図１（ｂ）は下向きに開口している目地カバー材３４を示している。この目地カバー材３４の両側部には括れ部３６とこれに連続する突部３７がそれぞれ形成され、さらに端部を丸めることにより当接部３８が形成されている。
【００２３】
上記のように形成された目地カバー材３４は、図１（ａ）に示すように屋根板材２１のフック部２７に目地カバー材３４の括れ部３６が係止されるようにして嵌め込まれている。
【００２４】
目地カバー材３４は、弾性を有していて端部２２に対し装着された状態では、フック部２７に対して目地カバー材３４の括れ部３６が当接して止水している。さらに、突部３７が垂直壁２４に当接し、且つ当接部３８が屋根板材２１上面に当接することで止水作用を高めている。
【００２５】
前記固定アンカー３０内には、不定形シール材としてのコーキング３９が充填されている。このコーキング３９により、下地材２０に対するコーキング３９の固定部（ネジ３３部）及び固定アンカー３０と屋根板材２１の第２の折り返し壁２６との接触面端部が確実にシールされている。
【００２６】
また、屋根板材２１，２１の端部２２，２２に目地カバー材３４を設けたことにより、目地２３に対する止水を確実に行うことができる。
【００２７】
そして、この目地カバー材３４は、屋根板材２１，２１の端部２２，２２に目地カバー材３４を嵌め込むだけでシール作業が完了するので、屋根シールの作業性が容易であって熟練度を必要としない利点がある。また、天候に左右されることなく作業できて作業時間も短縮できると共に、屋根シール部のメンテナンス・補修も容易に行うことができる。
〈実施例〉
【００２８】
次に、本発明の実施例を図２に基づいて説明する。
【００２９】
下地材２０に対する屋根板材２１，２１及び固定アンカー３０の固定は参考例と同様である。図２（ａ）は屋根板材２１，２１の第２の折り返し壁２６，２６に装着される屋根シール材としての定形シール材４１を示している。
【００３０】
この定形シール材４１は、本体部４２とこの本体部４２の両側から斜め下方一体的に延設されているリップ部４３とを有している。上記本体部４２には中型中空部４５が形成され、またリップ部４３の基部側には小型中空部４４がそれぞれ形成されている。
【００３１】
上記定形シール材４１は、図２（ｃ）に示すように定形シール材４１の下側の緩衝部４８である小型中空壁４８ａが第２の折り返し壁２６の端部２８にそれぞれ当接するようにして第２の折り返し壁２６に装着される。
【００３２】
図２（ｂ）のように定形シール材４１が装着された屋根板材２１，２１の端部２２に対しては、さらに目地カバー材３４が嵌め込まれる（図２（ｃ）参照）。このとき、定形シール材４１の上面４１ａは目地カバー材３４の頂面部３５により第２の折り返し壁２６の端部２８に押圧されるため、緩衝部としての小型中空部壁４８ａは図２（ａ）の状態から図２（ｃ）の状態に変形させられる。
【００３３】
上記のように定形シール材４１に緩衝部としての小型中空部壁４８ａを設けたことにより、目地カバー材３４の括れ部３６は屋根板材２１のフック部２７に適度の圧力により圧接されて、目地カバー材３４の固定状態をより確実にすることができる。
【００３４】
〈変形例１〉
図３は、定形シール材４１の変形例１を示している。定形シール材４１以外のものは図２と同様に構成されている。
【００３５】
図３（ａ）において、定形シール材４１は本体部４２と１対のリップ部４３とを有している。リップ部４３の基部側の凹部４６には、緩衝部４８である柔軟部材４８ｂがそれぞれ配置されている。この柔軟部材４８ｂは、例えば未加硫ブチルゴムが使用される。
【００３６】
図３（ｂ）は、第２の折り返し壁２６の端部２８に上記定形シール材４１を装着したのち目地カバー材３４を嵌め込んだ状態を示している。この目地カバー材３４の嵌め込みにより、柔軟部材４８ｂは図３（ｂ）のように第２の折り返し壁２６の端部２８により若干押しつぶされた状態となる。従って、固定アンカー３０内への雨水の浸入を確実に防止することができる。
【００３７】
〈変形例２〉
図４は定形シール材４１の変形例２を示している。本例の定形シール材４１は、上部に大型中空部上側壁である円弧状薄板４７ａが形成されていて、円弧状薄板４７ａの両側に大型中空部下側壁４７ｂをそれぞれ連結し、大型中空部下側壁４７ｂの内側端部を本体部４２に連結させて、大型中空部４７を形成している。
【００３８】
また、大型中空部下側壁４７ｂの下面側には、粘着材４９がそれぞれ付着されている。この粘着材４９としては、例えば、ブチルテープが用いられている。
【００３９】
図４（ｂ）は、上記定形シール材４１を第２の折り返し壁２６に装着したのち、目地カバー材３４を嵌め込んだ状態を示している。この状態では、定形シール材４１の粘着材４９は第２の折り返し壁２６に粘着すると共に、大型中空部上側壁である円弧状薄板４７ａの弾性変形により粘着材４９は第２の折り返し壁２６に圧接されている。これにより、固定アンカー３０内への雨水の浸入等を確実に防止することができる。
【００４０】
〈変形例３〉
図５は定形シール材４１の変形例３を示している。本例における定形シール材４１は、図２における定形シール材４１のリップ部４３にシート状部５０を一体的に延設して形成されている。図５（ｂ）は、上記定形シール材４１を屋根板材２１，２１の第２の折り返し壁２６，２６に装着した状態を示している。
【００４１】
図５（ｃ）は、図５（ｂ）の状態の屋根板材２１，２１の端部２２及び定形シール材４１に目地カバー材３４を嵌め込んだ状態を示している。このとき、第２の折り返し壁２６の端部２８が緩衝部４８である小型中空部壁４８ａにそれぞれ押圧することで、第２の折り返し壁２６の端部２８からの雨水の浸入を防止することができる。
【００４２】
さらに、上記シート状部５０は、図５（ｃ）に示すように目地カバー材３４の緩衝部４８である小型中空部壁４８ａとフック部２７との間、及び突部３７と垂直壁２４との間にそれぞれはさみ込まれている。
【００４３】
このため、シート状部５０を一次シールとし、定形シール材４１の緩衝部４８である小型中空部壁４８ａを二次シールとすることで、雨水の浸入を二重に防止する機能を有している。定形シール材４１の材質としては、ゴム又は弾性体が用いられている。
【００４４】
なお、上記シート状部５０は、本体部４２と一体形成した場合を説明したが、図５（ｄ）に示すように別形成したシート状部５０を本体部４２に付着させて一体化することも可能である。
【００４５】
〈変形例４〉
図６は定形シール材４１の変形例４を示している。この定形シール材４１は気泡発泡体５２からなっており、気泡発泡体５２の下面５２ｂに粘着材５３を付着させた状態で図６（ｂ）に示すように気泡発泡体５２が目地カバー材３４内に収納されている。図６（ｃ）は、図６（ｂ）の目地カバー材３４及び定形シール材４１が屋根板材２１，２１の端部２２に嵌め込まれた状態を示している。
【００４６】
目地カバー材３４の装着により定形シール材４１の気泡発泡体５２の上面５２ａが目地カバー材３４の頂面部により押圧され、粘着材５３が第２の折り返し壁２６に付着する。これにより、固定アンカー３０内への雨水の浸入は確実に防止することができる。そして、上記定形シール材４１は、材質が気泡発泡体５２であることから安価に構成することができる。
【００４７】
以上説明した発明を実施するための参考例の屋根シール構造は、屋根板材（２１）の端部（２２）を互いに向かい合わせて下地材（２０）に固定した状態で目地（２３）を形成し、前記目地（２３）内に固定アンカー（３０）を挿入して前記下地材（２０）に固定し、前記屋根板材（２１）の端部（２２）上に目地カバー材（３４）を係止固定した屋根シール構造である。そして、前記固定アンカー（３０）内に不定形シール材（３９）を充填して、前記固定アンカー（３０）固定部（３３）及び前記固定アンカー（３０）と屋根板材（２１）との接触面端部を被覆したことを特徴としている。
【００４８】
この構成によれば、下地材に固定した固定アンカー（３０）に不定形シール材（３９）を充填して固定アンカー（３０）の固定部（３３）や、固定アンカー（３０）と屋根板材（２１）との接触面端部を被服しているので、屋根材（２１）の目地（２３）部における防水を確実に行うことができる。
【００４９】
また、この発明を実施するための参考例の屋根シール構造は、屋根板材（２１）の端部（２２）を互いに向かい合わせて略直角に折り曲げて垂直壁（２４）をそれぞれ形成し、該垂直壁（２４）を前記屋根板材（２１）の中央側に向けて鋭角に折り返して第１の折り返し壁（２５）を連続形成すると共に、該第１の折り返し壁（２５）の端部を前記屋根板材の端部側に鋭角に折り返して第２の折り返し壁（２６）を連続形成してフック部（２７）を形成し、前記屋根板材（２１）の端部（２２）同士を互いに向かい合わせて下地材（２０）に固定して目地（２３）を形成し、前記屋根板材（２１）の前記垂直壁（２４）と前記第１の折り返し壁（２５）との間に、上部に開口し且つ前記第１の折り返し壁（２６）に沿う折曲片（３２）を両側にそれぞれ有する固定アンカー（３０）を配置して前記下地材（２３）に固定手段（３３）により固定し、前記フック部（２７）にそれぞれ係合可能な括れ部（３６）を有する略逆Ｕ字状の目地カバー（３４）を係止させた屋根シール構造である。この屋根シール構造は、前記固定アンカー（３０）内に不定形シール材（３９）を充填して、前記固定アンカー（３０）固定部（３３）及び前記固定アンカー（３０）と屋根板材（２１）との接触面端部を被覆している。
【００５０】
この構成によれば、固定アンカー（３０）内に不定形シール材（３９）を充填してシールすると共に、フック部（２７）に目地カバー材（３４）の括れ部（３６）を嵌め込むだけでシール作業が完了するので、屋根シールの作業性が容易で熟練度を必要としない利点がある。また、天候に左右されることなく作業できて作業時間も短縮できると共に、屋根シール部のメンテナンス・補修も容易に行うことができる。
また、この発明を実施するための最良の形態の屋根シール構造は、屋根板材（２１）の端部（２２）を互いに向かい合わせて下地材（２０）に固定して目地（２３）を形成し、該目地（２３）に固定アンカー（３０）を挿入して前記下地材（２０）に固定し、前記屋根板材（２１）の端部（２２）に目地カバー材（３４）を係止固定した屋根シール構造である。この屋根シール構造は、前記屋根板材（２１）の端部（２２）から上方に折り返された垂直壁（２４）と前記目地カバー頂面（３５）との間に定形シール材（４１）を固定してある。
【００５１】
また、この発明を実施するための最良の形態の屋根シール構造は、屋根板材（２１）の端部（２２）を互いに向かい合わせて下地材（２０）に固定して目地（２３）を形成し、該目地（２３）に固定アンカー（３０）を挿入して前記下地材（２０）に固定し、前記屋根板材（２１）の端部（２２）に目地カバー材（３４）を係止固定した屋根シール構造である。この屋根シール構造は、前記屋根板材（２１）の端部（２２）から上方に折り返された垂直壁（２４）と前記目地カバー頂面（３５）との間に定形シール材（４１）を固定してある。
【００５２】
この構成によれば、屋根板材（２１）の目地部（２３）に配設された固定アンカー（３０）と目地カバー材（３４）との間に定形シール材（４１）を配設したので、固定アンカー（３０）の固定部（３３）及び固定アンカー（３０）と屋根板材（２１）の端部（２２）との間の止水を確実に行うことができる。
【００５３】
また、この発明を実施するための最良の形態の屋根シール構造は、屋根板材（２１）の端部（２２）を互いに向かい合わせて略直角に折り曲げて垂直壁（２４）をそれぞれ形成し、該垂直壁（２４）を前記屋根板材（２１）の中央側に向けて鋭角に折り返して第１の折り返し壁（２５）を連続形成すると共に、該第１の折り返し壁（２５）の端部（２２）を前記屋根板材（２１）の端部（２２）側に鋭角に折り返して第２の折り返し壁（２６）を連続形成してフック部（２７）を形成し、前記屋根板材（２１）の端部（２２）同士を互いに向かい合わせて下地材（２０）に固定して目地（２３）を形成し、前記屋根板材（２１）の前記垂直壁（２４）と前記第１の折り返し壁（２５）との間に、上部に開口し且つ前記第１の折り返し壁（２５）に沿う折曲片（３２）を両側にそれぞれ有する固定アンカー（３０）を配置して前記下地材（２０）に固定手段（３３）により固定し、前記フック部（２７）にそれぞれ係合可能な括れ部（３６）を有する略逆Ｕ字状の目地カバー材（３４）を係止させた屋根シール構造である。この屋根シール構造は、前記屋根板材（２１）の端部（２２）から上方に折り返された垂直壁（２４）と前記目地カバー頂面（３５）との間に定形シール材（４１）を固定してある。
【００５４】
この構成によれば、屋根板材（２１）の目地（２３）部に配設された固定アンカー（３０）と目地カバー材（３４）との間に定形シール材（４１）を配設したので、固定アンカー（３０）の固定部（３３）及び固定アンカー（３０）と屋根板材（２１）の端部（２２）との間の止水を確実に行うことができる。そして、フック部（２７）に目地カバー材（３４）の括れ部（３６）を嵌め込むだけでシール作業が完了するので、屋根シールの作業性が容易で熟練度を必要としない。また、天候に左右されることなく作業できて作業時間も短縮できると共に、屋根シール部のメンテナンス・補修も容易に行うことができる。
【００５５】
また、発明を実施するための最良の形態の屋根シール構造は、前記定形シール材（４１）が、前記対向する屋根板材（２１）の前記第２の折り返し壁（２６）間に下部側が嵌合可能であって略四角形状の本体部（４２）と、該本体部（４２）から延出している２本のリップ部（４３）とを有している。
【００５６】
この構成によれば、上記のように定形シール材（４１）が第２の折り返し壁（２６）間に嵌合可能であるように略四角形状の本体部（４２）と２本のリップ部（４３）を有しているため、屋根板材（２１）に定形シール材（４１）が固定可能で、固定アンカー（３０）と屋根板材（２１）の端部（２２）との間の止水を確実に行うことができる。
【００５７】
また、発明を実施するための最良の形態の屋根シール構造は、前記本体部（４２）と前記２本のリップ部（４３）との間に緩衝部（４８）を設け、該緩衝部（４８）に前記第２の折り返し壁（２６）の先端（２８）を弾接させている。
【００５８】
この構成によれば、目地カバー材（３４）の嵌め込みにより、柔軟部材（４８ｂ）は第２の折り返し壁（２６）の端部（２８）により若干押しつぶされた状態となる。従って、固定アンカー（３０）内への雨水の浸入を確実に防止することができる。
【００５９】
また、発明を実施するための最良の形態の屋根シール構造は、前記緩衝部（４８）が、小型中空部壁（４８ａ）又は柔軟部材（４８ｂ）である。
【００６０】
この構成によれば、上記のように定形シール材（４１）に緩衝部（４８）としての小型中空部壁（４８ａ）又は柔軟部材（４８ｂ）を設けたことにより、目地カバー材（３４）の括れ部（３６）は屋根板材（２１）のフック部（２７）に適度の圧力により圧接されて、目地カバー材（３４）の固定状態をより確実にすることができる。
【００６１】
また、発明を実施するための最良の形態の屋根シール構造は、前記リップ部（４３）にシート状部（５０）を延設し、前記目地カバー材（３４）と前記フック部（２７）との間に挟み込み固定し、さらに前記目地カバー材（３４）の前記括れ部（３６）と前記垂直壁（２４）との間に挟み込み固定してある。
【００６２】
この構成によれば、シート状部（５０）を一次シールとし、定形シール材（４１）の小型中空部壁（４８ａ）を二次シールとすることで、雨水の浸入を二重に防止する機能を有している。
【００６３】
また、発明を実施するための最良の形態の屋根シール構造は、前記２本のリップ部（４３）の前記本体部（４２）側に粘着材（４９）を設け、前記リップ部（４３）を前記第２の折り返し壁（２６）に貼り付け固定している。
【００６４】
この構成によれば、第２の折り返し壁（２６）とリップ部（４３）とが密着されて固定アンカー（３０）内への雨水の浸入を確実に防止することができる。
【００６５】
また、発明を実施するための最良の形態の屋根シール構造は、前記定形シール材（４１）の前記本体部（４２）に大型中空部上側壁（４７ａ）と大型中空部下側壁（４７ｂ）とを設け、該大型中空部下側壁（４７ｂ）を本体部（４２）に連結して大型中空部（４７）を構成し、該大型中空部上側壁（４７ａ）を前記目地カバー材（３４）内側の頂面部（３５）に弾接させ、前記大型中空部下側壁（４７ｂ）の両側下面部に粘着材（４９）を取り付けて、前記定形シール材（４１）を前記第２の折り返し壁（２６）に貼り付け固定してある。
【００６６】
この構成によれば、定形シール材（４１）の粘着材（４９）は第２の折り返し壁（２６）に粘着すると共に、大型中空部上側壁である円弧状薄板（４７ａ）の弾性変形により粘着材（４９）は第２の折り返し壁（２６）に圧接されている。これにより、固定アンカー（３０）内への雨水の浸入等を確実に防止することができる。
【００６７】
また、発明を実施するための最良の形態の屋根シール構造は、前記定形シール材（４１）が、前記本体部（４２）を略四角形状の気泡発泡体（５２）とし、本体部の長辺部に粘着材（５３）を貼り付け、該粘着材（５３）を向かい合わせた第２の折り返し壁（２６）に貼り付け、粘着材（５３）と向かい合う気泡発泡体（５２）の長辺部を目地カバー材（３４）の頂面（３５）に弾接させている。
【００６８】
この構成によれば、目地カバー材（３４）の装着により定形シール材（４１）の気泡発泡体（５２）の上面（５２ａ）が目地カバー材（３４）の頂面部（３５）により押圧され、粘着材（５３）が第２の折り返し壁（２６）に付着する。これにより、固定アンカー（３０）内への雨水の浸入を確実に防止することができる。
【図面の簡単な説明】
【００６９】
【図１】（ａ）は不定形シール材を用いた屋根シール構造の縦断正面図、（ｂ）は目地カバー材の縦断正面図、（ｃ）は固定アンカー３０の縦断正面図、（ｄ）は屋根板材及び端部の縦断正面図である。
【図２】（ａ）は定形シール材の縦断正面図、（ｂ）は屋根板材の端部及び定形シール材の縦断正面図、（ｃ）は屋根シール構造の縦断正面図である。
【図３】（ａ）は変形例１に係わる定形シール材の縦断正面図、（ｂ）は屋根シール構造の縦断正面図である。
【図４】（ａ）は変形例２に係わる定形シール材の縦断正面図、（ｂ）は屋根シール構造の縦断正面図である。
【図５】（ａ）は変形例３に係わる定形シール材の縦断正面図、（ｂ）は屋根板材の端部及び定形シール材の縦断正面図、（ｃ）は屋根シール構造の縦断正面図、（ｄ）は定形シール材の他の変形例を示す縦断正面図である。
【図６】（ａ）は変形例４に係わる定形シール材の縦断正面図、（ｂ）は目地カバー材及び定形シール材４１の縦断正面図、（ｃ）は屋根シール構造の縦断正面図である。
【図７】従来の屋根連結構造の一例を示す縦断正面図である。
【符号の説明】
【００７０】
２０    下地材
２１    屋根板材
２２    端部
２３    目地
２４    垂直壁
２５    第１の折り返し壁
２６    第２の折り返し壁
２７    フック部
２８    第２の折り返し壁の端部
３０    固定アンカー
３２    固定アンカーの折曲片
３３    ネジ（固定部）
３４    目地カバー材
３５    目地カバー材の頂面部
３６    括れ部
３９    不定形シール材としてのコーキング
４１    定形シール材
４２    定形シール材の本体部
４３    定形シール材のリップ部
４４    小型中空部
４５    中型中空部
４７    大型中空部
４７ａ  大型中空部上側壁としての円弧状薄板
４７ｂ  大型中空部下側壁
４８    緩衝部
４８ａ  緩衝部としての小型中空部壁
４８ｂ  緩衝部としての柔軟部材
４９    粘着材
５０    シート状部
５２    気泡発泡体
５３    粘着材
【図１】
0004418667.tif 000002
【図２】
0004418667.tif 000003
【図３】
0004418667.tif 000004
【図４】
0004418667.tif 000005
【図５】
0004418667.tif 000006
【図６】
0004418667.tif 000007
【図７】
0004418667.tif 000008